(57)【要約】【課題】ＰＯＰにも対応可能な広い広告面を備え、従来の製本機械設備そのままで製本ができ、レイアウトの秩序を乱さない、付加的表紙を備えた書籍を提供する。【解決手段】本体部６と外紙７からなる書籍である。外紙は、内表紙部１１、内背表紙部１２、内裏表紙部１３と付加部２０からなる。本体部の背部と内背表紙部の裏面を固着部位として、本体部と外紙を固着している。付加部は内表紙部、内背表紙部と内裏表紙部の全てに隣接し、これらの天方向及び／または地方向に延接されていて、付加部を内表紙部、内背表紙部及び内裏表紙部と当接する側に折畳んだ。【選択図】図１
2010214908.tif 000002
【特許請求の範囲】
【請求項１】
一枚以上の紙からなる本体部と、
外紙からなる書籍であって、
前記外紙は、内表紙部、内背表紙部、内裏表紙部と付加部からなり、
前記本体部の背部と前記内背表紙部の裏面を固着部位として、前記本体部と前記外紙を固着し、
前記内表紙部の裏面が前記本体部と接し、前記裏表紙部の裏面が前記本体部と接し、
前記付加部は前記内表紙部、前記内背表紙部と前記内裏表紙部の全てに隣接し、これらの天方向及び／または地方向に延接されていて、
前記付加部を前記内表紙部、前記内背表紙部及び前記内裏表紙部と当接する側に折畳んだ書籍。
【発明の詳細な説明】
【技術分野】
【０００１】
本発明は付加的な見開き表紙部を備えた書籍に関するものである。
【背景技術】
【０００２】
従来の書籍において表裏表紙は表紙（表１）、表紙裏（表２）、裏表紙裏（表３）と裏表紙（表４）からなる。
【０００３】
一方、従来の情報誌は上下二段独立製本し、上部情報部分を折り曲げて下部情報部分の間に折畳むように構成したものがある。（例えば、特許文献１参照。）。
【先行技術文献】
【特許文献】
【０００４】
【特許文献１】特開２００８−１００５０２号公報
【発明の概要】
【発明が解決しようとする課題】
【０００５】
雑誌を含む書籍の販売促進のためにＰＯＰ（販売促進のための広告媒体）が製作され、書店などの店頭広告として使用されている。書籍とＰＯＰは、通常、両者共に紙に印刷される点で類似品でありながら、従来は別途に製造され、別途に輸送され、このための費用が掛かる。
【０００６】
従来の書籍の一部分をＰＯＰにすれば、書籍とＰＯＰが一体化されるから、製造、輸送が単一化され、費用が低減される。しかし、従来の書籍において、本体部のレイアウトなどを変更することなく、容易にＰＯＰに転用可能なページは表裏ページであり、これをＰＯＰに転用してもその面積が足りず、訴求効果に乏しい。従来の上下二段独立製本した冊子では、上部と下部共に情報部分であり、どれかのページをＰＯＰに転用するには頁のレイアウトなどを変更する必要がある。
【０００７】
また、従来の冊子（例えば週刊誌や月間誌など）の場合に、表裏表紙において広告が掲載されるのは、表紙裏（表２）、裏表紙裏（表３）の２面、あるいは、これに加えて裏表紙（表４）の３面である。出版社などにとっては、より、多くの面に広告を掲載すれば、それだけ、収益が増加する。従来の書籍では、必然的に、広告収入にも限りがある。
【０００８】
一方、広告掲載面を増やすために、新たな製本方式を採用しても、製造に手間がかかる製本方式であれば、生産コストの上昇を招く。また、レイアウトの秩序を乱すものであれば、書籍自体の売れ行きを阻害してしまう。
【０００９】
そこで、解決しようとする課題は、ＰＯＰにも対応可能な広い広告面を備え、従来の製本機械設備そのままで製本ができ、製造費用増大を招かず、さらに、レイアウトの秩序を乱さない、付加的表紙を備えた書籍の提供である。
【００１０】
本発明のその他の課題は、本発明の説明により明らかになる。
【課題を解決するための手段】
【００１１】
課題を解決するための手段を説明する。理解を容易にするために、本発明の実施態様に対応する符号を付けて説明するが、本発明は当該実施態様に限定されるものではない。
【００１２】
本発明の一の態様である書籍（１ａ、１ｂ）は
一枚以上の紙からなる本体部（６）と、
外紙（７）からなる書籍であって、
前記外紙は、内表紙部（１１）、内背表紙部（１２）、内裏表紙部（１３）と付加部（２０）からなり、
前記本体部の背部（６１）と前記内背表紙部の裏面を固着部位として、前記本体部と前記外紙を固着し、
前記内表紙部の裏面が前記本体部と接し、前記裏表紙部の裏面が前記本体部と接し、
前記付加部は前記内表紙部、前記内背表紙部と前記内裏表紙部の全てに隣接し、これらの天方向及び／または地方向に延接されていて、
前記付加部を前記内表紙部、前記内背表紙部及び前記内裏表紙部と当接する側に折畳んだ。
【発明の効果】
【００１３】
本発明の書籍は、その他の構成とともに、本体部と外紙を備え、外紙は前記本体部を覆う表紙領域、裏表紙領域と背表紙領域を有するとともに、天方向及び／または地方向に広がる付加部を有し、前記付加部を外紙の相互領域が当接する側に折畳んだものであり、外紙を開くと面積の大きい付加的な表紙部が現れる。この付加的な表紙部はＰＯＰに使用してもよく、広告掲載面にしてもよい。
【００１４】
付加的な表紙部は、本体部とは離れているので、書籍のレイアウト秩序を乱すことがない。さらに、本体部と外紙の取付けは、本体部の背面に外紙の特定部分を貼り付けるだけであり、従来の製本工程や製本設備の大きな変更は不要である。
【図面の簡単な説明】
【００１５】
【図１】図１は書籍１ａの外紙を折畳んだ状態で、小口側からみた斜視図である。
【図２】図２は書籍１ａの外紙を開いた状態で、本体側から見た斜視図である。
【図３】図３は書籍１ａの外紙を開いた状態で、外紙側から見た斜視図である。
【図４】図４は書籍１ｂの外紙を開いた状態で、外紙側から見た斜視図である。
【図５】図５は書籍１ａの外紙を開き本棚に展示する状態の説明図である。
【発明を実施するための形態】
【００１６】
以下、図面を参照して本発明の実施例にかかる書籍をさらに説明する。本発明の実施例に記載した部材や部分の寸法、材質、形状、その相対位置などは、とくに特定的な記載のない限りは、この発明の範囲をそれらのみに限定する趣旨のものではなく、単なる説明例にすぎない。
【００１７】
書籍１ａは本体部６と外紙７からなる。本体部６は、従来の書籍と同様の本体部である。本体部６は、通常、複数の紙片の集合体である。もっとも、本発明にかかる書籍において、本体部は一枚以上の紙片からなるものであればよい。
【００１８】
外紙７は、内表紙部１１、内背表紙部１２、内裏表紙部１３が順に横方向につながっている。外紙７はさらに付加部２０を有する。書籍１ａの場合、外紙７は付加部である外表紙部２１、付加部である外背表紙部２２と付加部である外裏表紙部２３を含んでいる。すなわち、内表紙部１１の天方向に表紙境界線２５１を介して外表紙部２１が延設されている。内背表紙部１２の天方向に背表紙境界線２５２を介して外背表紙部２２が延設されている。内裏表紙部１３の天方向に裏表紙境界線を介して外裏表紙部２３が延設されている。
【００１９】
図１、図２、図３、図４において本体部６は天を紙面上にして、地を紙面下にして図示している。また、外紙７の２の表面について、便宜上、外紙を開いた状態で本体側の面を外紙裏面７ｕと名付け、開放側の面を外紙表面７ｏと名付けている。
【００２０】
本体部６と外紙７は、本体部６の背部と内背表紙部１２の裏面を固着部位として、固着されている。固着は通常のホットメルト接着剤、湿気硬化型ポリウレタンホットメルト接着剤を用いて行うことが好ましい。
【００２１】
付加境界線２５を折り線にして、付加部２０は内表紙部１１、内背表紙部１２及び内裏表紙部１３と当接する側に折畳まれている。図３にあっては、外紙表面７ｏが紙面の上に描かれているので、付加境界線２５を谷折にして折畳むことになる。
【００２２】
この結果、内表紙部１１と外表紙部２１が当接し、内背表紙部と外背表紙部が当接し、内裏表紙部１３と外裏表紙部２３が当接することになる。その後、本体部６を包むように背表紙部分を折り曲げる。
【００２３】
このようにして折畳まれた書籍１ａは、外表紙部２１の裏面側と外裏表紙部２３の裏面側が露出する状態となる。便宜上、当該折畳み状態を「書籍状態」と名付け、折畳みを開いた状態を「展開状態」と名付ける。図１は書籍状態の書籍１ａを図示している。図１中に矢印４１と矢印４２で示した方向に、書籍１ａの外表紙部２１と外裏表紙部２３を開けば展開状態となる。図２は展開状態の書籍１ａを図示している。
【００２４】
外紙７の外紙表面７ｏは展開状態では、本体部６の凡そ４ページ分の大きさを有する付加的な表紙部となる。書籍１ａの書籍状態では、外紙表面７ｏは人目にふれない。このため、外紙表面７ｏをＰＯＰ部分として用いることができる。また、宣伝ページとして使用してもよい。ここで、書籍状態で外紙表面７ｏは人目に触れないから、ＰＯＰや宣伝ページにしても、本体部のレイアウトは変更する必要がない。
【００２５】
展開状態の書籍１ａは、図２に示すように台上に自立可能である。また、図５に示すように、本体部６を本棚３１に収納して、懸垂状態に垂らすこともできる。このため、ＰＯＰや宣伝効果を高めることができる。
【００２６】
図５にあっては、外紙７を一点鎖線で示している。書籍１ａを本棚に展示する形態は、外紙７が懸垂状態に垂れる状態のみならず、外紙７が上側に展開される状態であってもよい。
【００２７】
書籍１ａの製造方法の一例を説明する。ここでは書籍１ａを左綴じ（左綴り）として説明する。
(1) 外紙７を、外紙表面を内側に天地方向を４Ｐに折る。
(2) 本体部６を帳合し、仮固めして天側を断裁する。
(3) ４Ｐになった外紙と天が切られた本体部を機械で本くるみして、小口と地側を切る。
以上で製本が完成する。
【００２８】
本発明にかかる書籍の製本は従来の製本設備をそのまま使用して行うことができる。
【００２９】
書籍１ｂはより大きな外紙を用いて面数を増加した書籍である。付加部２０が、本体部６の天地距離の略２倍ある。付加部２０の折り畳みは、折り線２６を谷折りし、さらに付加境界線２５を谷折りした後に、本体部を包むように折り畳んでいる。面数は４又は６に限定されることはなく、例えば、８面、１２面であってもよい。
【００３０】
外紙７は付加境界線で折畳まれているので、例えば、しかけ絵本のようなポップアップを仕込んでもよい。あるいは、外紙７の外紙表面７ｏにポケットを取り付けてもよい。
【００３１】
本発明において書籍には冊子を含む。書籍の発行形態は単行本、定期、不定期刊行物を含む。
【符号の説明】
【００３２】
１ａ、１ｂ    書籍
６    本体部
７    外紙
７ｏ  外紙表面
７ｕ  外紙裏面
１１  内表紙部
１２  内背表紙部
１３  内裏表紙部
２０  付加部
２１  付加部である外表紙部
２２  付加部である外背表紙部
２３  付加部である外裏表紙部
２５  付加境界線
２５１  表紙境界線
２５２  背表紙境界線
２５３  裏表紙境界線
２６  折り線
３１  本棚
６１  背部
【図１】
2010214908.tif 000003
【図２】
2010214908.tif 000004
【図３】
2010214908.tif 000005
【図４】
2010214908.tif 000006
【図５】
2010214908.tif 000007